(57)【要約】【課題】音声記録中に画像撮影を行っても、記録装置本体から発生される撮影に関する告知音を音声に記録することがなく、また、無駄なメモリの消費を防止し、記録する音声に影響のないようにした記録装置を提供する。【解決手段】音声および撮影画像を記録する記録媒体１２と、被写体を撮影する撮影処理部２０と、上記撮影処理部２０による被写体の撮影に関する告知音を発生し、音声の記録中は上記告知音を発生している間、上記記録媒体１２への音声の記録を中断するＣＰＵ５とを具備する。【選択図】  図１
2004222067.tif 000002
【特許請求の範囲】
【請求項１】
音声を記録する音声記録手段と、
上記音声記録手段による音声の記録中に被写体を撮影する撮影手段と、
上記撮影手段による被写体の撮影の際に告知音を発生する告知手段と、
上記告知手段が告知音を発生している間は、上記音声記録手段による音声の記録を中断する音声記録中断手段と、を具備することを特徴とする記録装置。
【請求項２】
上記撮影手段は、静止画像を撮影することを特徴とする請求項１に記載の記録装置。
【請求項３】
上記告知手段は、上記撮影手段により静止画像の撮影が成功したとき、および／または静止画像の撮影に失敗したときに告知音を発生することを特徴とする請求項１に記載の記録装置。
【請求項４】
上記告知手段は、複数の異なる種類の告知音を発生することができることを特徴とする請求項３に記載の記録装置。
【請求項５】
上記音声記録中断手段により音声の記録を中断する中断時間は、上記音声記録手段により記録される音声に影響を及ぼさない範囲であることを特徴とする請求項１に記載の記録装置。
【請求項６】
上記音声記録中断手段により音声の記録を中断する中断時間は、３０ｍｓｅｃ乃至８０ｍｓｅｃの範囲であることを特徴とする請求項１または５に記載の記録装置。
【請求項７】
上記音声記録中断手段により音声の記録を中断する中断時間は、４０ｍｓｅｃ乃至６０ｍｓｅｃの範囲であることを特徴とする請求項１または５に記載の記録装置。
【請求項８】
上記音声記録中断手段により音声の記録を中断する中断時間は、５０ｍｓｅｃであることを特徴とする請求項１または５に記載の記録装置。
【請求項９】
入力された音声を符号化された音声データに変換する音声データ符号化手段と、
上記音声データを記録媒体に記録する音声データ記録手段と、
静止画像の撮影を指示する撮影指示手段と、
上記撮影指示手段の指示に応答して静止画像を撮像する撮像手段と、
上記撮像された静止画像を上記記録媒体に記録する静止画像記録手段と、
上記撮像手段による静止画像の撮像の終了または上記撮像された静止画像の上記記録媒体への記録の終了に基づいて告知音を発生する告知手段と、
上記告知手段により告知音が発生されている期間に対応する音声データが上記記録媒体に記録されないように上記音声データ符号化手段および／または上記音声データ記録手段を制御する制御手段と、を具備することを特徴とする記録装置。
【請求項１０】
音声を記録する音声記録手段と、
上記音声記録手段による音声の記録中に被写体を撮影する撮影手段と、
上記撮影手段による被写体の撮影の際に上記音声記録手段による音声の記録を一時停止させる一時停止手段と、
上記一時停止手段によって、上記音声記録手段による音声の記録の一時停止後に告知音を発生する告知手段と、
上記告知手段による告知音の発生終了の後に上記音声記録手段による音声の記録を再開させる再開手段と、を具備することを特徴とする記録装置。
【請求項１１】
上記一時停止手段は、上記撮影手段による静止画像の撮影が成功したとき、および／または静止画像の撮影に失敗したときに上記音声記録手段による音声の記録を一時停止させることを特徴とする請求項１０に記載の記録装置。
【発明の詳細な説明】
【０００１】
【発明の属する技術分野】
本発明は、記録装置、詳しくは、音声および画像記録機能を備えた記録装置に関する。
【０００２】
【従来の技術】
周知のように、音声信号をデジタルデータに変換した後、書き換え可能な記憶媒体としてのフラッシュメモリに記憶し、上記フラッシュメモリに記憶された音声データをアナログ化して再生するという携帯型の記録装置（以下、ＩＣレコーダと称す）が実用化されている。
【０００３】
上記ＩＣレコーダの特徴としては、所定の操作スイッチを操作することにより、録音、再生、早送り、および早戻しなどの各動作モードを選択的に動作させることができることにある。たとえば、録音動作モードを選択したときは、予め上記フラッシュメモリに設けられた音声データ領域およびインデックス情報領域に、デジタル信号に変換された音声データ、および該音声データに関するインデックス情報（音声データのアドレス、録音日時等）を記憶するようになっている。
【０００４】
一方、音声だけでなく、デジタルカメラによる画像も記録できる撮影機能付きＩＣレコーダが製品化されている。この撮影機能付きＩＣレコーダは、発言者を撮影することができ、また、実際に説明している資料等を撮影することができるため、後に、使用者が再生し、確認を行う際、大変便利なものとなっている。
【０００５】
また、ビデオカメラと銀塩カメラを一体化した画像および音声記録装置も提案されている。
【０００６】
しかし、この画像および音声記録装置の場合、ビデオカメラによる画像と音声の記録中に銀塩カメラによる画像撮影を行うと、銀塩カメラの撮影機能を操作する釦等の操作音、またはフィルムの巻き上げ／巻き戻し音等の動作音が、ビデオカメラに音声と共に記録されてしまい、再生時、使用者にとって、前記操作音または動作音が大変煩わしいものとなる。
【０００７】
そこで、特許文献１には、図３に示すように、ビデオ撮影の音声記録中、マイクフォン１００に入力された、銀塩カメラの撮影動作による操作音または動作音を制御回路１２０が検出し、該制御回路１２０が、動作音発生期間のみ、前記マイクロフォン１００からの入力信号を増幅するゲインアンプ１１０のゲインを下げることにより、音声記録中に操作音または動作音が記録されることを回避するようにした提案がなされている。
【０００８】
【特許文献１】
特開平８−９３１７号公報
【０００９】
【発明が解決しようとする課題】
ところで、デジタルカメラの場合には、銀塩カメラのように、操作音および動作音が殆ど発生しないので、一般に、デジタルカメラによる撮影を行った場合は、撮影の際にデジタルカメラ本体から発生される告知音、例えば、撮影が完了したことを使用者に知らしめるため、ビープ（ＢＥＥＰ）音等の告知音が発生されるようになっている。従って、上記撮影機能付きＩＣレコーダの場合も音声記録中に画像撮影を行った場合に、この告知音が録音されると、再生時にこの告知音も大変煩わしいものとなる。
【００１０】
しかし、この解決手段として上記特許文献１に開示されている記録装置では、音声記録中の画像撮影において、操作音または動作音を全く記録しないようにするには、制御回路１２０は、マイクロフォン１００からの入力信号を増幅するゲインアンプ１１０のゲインを０にしなければならず、その間の音声データは無音データとなるため、特にメモリ容量が限られているメモリカード等を使用する携帯機器においては、無駄なメモリの消費となり、また、大切な音声を記録し損ねてしまう虞がある。
【００１１】
本発明は、上記事情に鑑みてなされたものであり、その目的は、音声記録中に画像撮影を行っても、記録装置本体から発生される撮影に関する告知音を音声に記録することがなく、また、無駄なメモリの消費を防止し、記録する音声に影響のないようにした記録装置を提供するにある。
【００１２】
【課題を解決するための手段、及び作用】
上記の目的を達成するために本発明による記録装置は、音声を記録する音声記録手段と、上記音声記録手段による音声の記録中に被写体を撮影する撮影手段と、上記撮影手段による被写体の撮影の際に告知音を発生する告知手段と、上記告知手段が告知音を発生している間は、上記音声記録手段による音声の記録を中断する音声記録中断手段とを具備することを特徴とし、また、上記撮影手段は、静止画像を撮影することを特徴とし、さらに、上記告知手段は、上記撮影手段により静止画像の撮影が成功したとき、および／または静止画像の撮影に失敗したときに告知音を発生することを特徴とし、また、上記告知手段は、複数の異なる種類の告知音を発生することができることを特徴とし、さらに、上記音声記録中断手段により音声の記録を中断する中断時間は、上記音声記録手段により記録される音声に影響を及ぼさない範囲であることを特徴とし、また、上記音声記録中断手段により音声の記録を中断する中断時間は、３０ｍｓｅｃ乃至８０ｍｓｅｃの範囲であることを特徴とし、さらに、上記音声記録中断手段により音声の記録を中断する中断時間は、４０ｍｓｅｃ乃至６０ｍｓｅｃの範囲であることを特徴とし、また、上記音声記録中断手段により音声の記録を中断する中断時間は、５０ｍｓｅｃであることを特徴とする。
【００１３】
また、本発明による記録装置は、入力された音声を符号化された音声データに変換する音声データ符号化手段と、上記音声データを記録媒体に記録する音声データ記録手段と、静止画像の撮影を指示する撮影指示手段と、上記撮影指示手段の指示に応答して静止画像を撮像する撮像手段と、上記撮像された静止画像を上記記録媒体に記録する静止画像記録手段と、上記撮像手段による静止画像の撮像の終了または上記撮像された静止画像の上記記録媒体への記録の終了に基づいて告知音を発生する告知手段と、上記告知手段により告知音が発生されている期間に対応する音声データが上記記録媒体に記録されないように上記音声データ符号化手段および／または上記音声データ記録手段を制御する制御手段とを具備することを特徴とする。
【００１４】
さらに、本発明による記録装置は、音声を記録する音声記録手段と、上記音声記録手段による音声の記録中に被写体を撮影する撮影手段と、上記撮影手段による被写体の撮影の際に上記音声記録手段による音声の記録を一時停止させる一時停止手段と、上記一時停止手段によって、上記音声記録手段による音声の記録の一時停止後に告知音を発生する告知手段と、上記告知手段による告知音の発生終了の後に上記音声記録手段による音声の記録を再開させる再開手段とを具備することを特徴とし、また、上記一時停止手段は、上記撮影手段による静止画像の撮影が成功したとき、および／または静止画像の撮影に失敗したときに上記音声記録手段による音声の記録を一時停止させることを特徴とする。
【００１５】
【発明の実施の形態】
以下、本発明の実施の形態を図示の例によって説明する。
尚、本実施の形態においては、記録装置は、撮影機能付きＩＣレコーダを例に挙げて説明する。
【００１６】
図１は、本発明の一実施の形態である撮影機能付きＩＣレコーダの構成の概略を示したブロック図である。
【００１７】
図１に示すように、音声を電気信号に変換するマイクロフォン１の出力端は、前記マイクロフォン１からの電気信号を増幅するマイクアンプ（ＡＭＰ）２の入力端に接続されており、マイクアンプ２の出力端は、エリアシングノイズの発生を防止するため不要な高周波数成分をカットするローパスフィルタ（ＬＰＦ）３の入力端に接続され、さらにローパスフィルタ３の出力端は、入力される音声信号（アナログ信号）をデジタル信号に変換するＡ／Ｄコンバータ４の入力端に接続されている。上記Ａ／Ｄコンバータ４の出力端は、ＣＰＵ５に接続されている。
【００１８】
また、ＣＰＵ５には、デジタル信号をアナログ信号に変換するＤ／Ａコンバータ６が接続されており、このＤ／Ａコンバータ６の出力端は、エリアシングノイズの発生を防止するため不要な高周波数成分をカットするローパスフィルタ（ＬＰＦ）７の入力端に接続され、ローパスフィルタ７の出力端は、音声信号を増幅するパワーアンプ（ＡＭＰ）８の入力端に接続され、さらに、パワーアンプ８の出力端は、該パワーアンプ８により増幅された音声信号を放音するスピーカ９の入力端に接続されている。
【００１９】
上記ＣＰＵ５は、本撮影機能付きＩＣレコーダ３０全体の制御を行うものであり、録音時には前記Ａ／Ｄコンバータ４でデジタル信号に変換された音声信号の符号化（圧縮）処理を行って音声ファイルを作成し、また再生時には符号化された音声ファイル（データ）の復号化（伸長）処理を行って、該音声データを前記Ｄ／Ａコンバータ６に出力する。また、上記ＣＰＵ５には、後述する音声記録中に撮像された画像を記録する際、その間の音声データを一時的に記録する図示しないバッファメモリを有している。
【００２０】
尚、上記ＣＰＵ５は、本発明における後述する撮影処理部２０による被写体の撮影の際に告知音を発生する告知手段と、告知音を発生している間は後述する記録媒体１２による音声の記録を中断する音声記録中断手段と、音声データを上記記録媒体１２に記録する音声データ記録手段と、静止画像の撮影を指示する撮影指示手段と、告知音が発生されている期間に対応する音声データが上記記録媒体１２に記録されないように上記音声データ符号化手段および／または上記音声データ記録手段を制御する制御手段を構成している。
【００２１】
また、上記ＣＰＵ５には、各種操作スイッチ（ＳＷ）１０と、ＬＣＤからなる表示装置１１と、フラッシュメモリ等からなる記録媒体１２と、ＵＳＢ等からなる外部接続端子１３と、撮影処理部２０がそれぞれ接続されている。
【００２２】
上記操作スイッチ１０は、各種機能を制御するための操作スイッチであり、上記ＩＣレコーダ３０の外装部に設けられている、図示しない録音釦（ＲＥＣ），再生釦（ＰＬＡＹ），停止釦（ＳＴＯＰ），早送り釦（ＦＦ），早戻し釦（ＲＥＷ），メニュー釦（ＭＥＮＵ）、１ｓｔレリーズ及び２ｎｄレリーズの２段スイッチで構成されるレリーズ釦等により構成されている。尚、上記操作スイッチ１０は、本発明における静止画像の撮影を指示する撮影指示手段を構成している。
【００２３】
上記表示装置１１は、上記ＣＰＵ５の制御の下、上記操作スイッチ１０のいずれかのスイッチ操作により、所定のシーケンス動作を開始したときのレコーダの動作モード、またはその後の動作状況、若しくは現在日時等の各種情報を表示するためのものである。
【００２４】
上記記録媒体１２は、フラッシュメモリ等の半導体メモリ等で構成されており、例えばユーザーＩＤ、録音モードの選択設定、告知音の選択設定、音声起動録音の選択設定、データの再生位置等、上記ＣＰＵ５に電源が供給されなくなっても記憶しておきたい各種設定、パラメータ等が記憶される。
【００２５】
また、上記記録媒体１２には、上記ＣＰＵ５により符号化された音声ファイルが例えばＡＤＰＣＭ等の所定のフォーマットによって記録され、さらに後述する、上記撮影処理部２０の画像処理部２３によって、例えばＪＰＥＧ等の所定のフォーマットによって圧縮された画像ファイル（データ）が記録される。
【００２６】
上記外部接続端子１３は、上記ＣＰＵ５の制御に基づいて記録された音声や撮影された画像を、例えばＰＣ（パソコン）等の外部出力機器５０に出力するための端子であって、例えばＵＳＢや高速シリアルバスＩＥＥＥ１３９４等が用いられる。
【００２７】
上記撮影処理部２０は、上記ＣＰＵ５の制御により、被写体の撮影および撮影された画像データの圧縮処理を行い、画像ファイルの作成を行うものであり、センサモジュール部２１と、ＤＲＡＭ２２と、画像処理部２３とを有して、その主要部が構成されている。尚、上記撮影処理部２０は、本発明における被写体を撮影する撮影手段を構成している。
【００２８】
上記センサモジュール部２１は、撮影レンズ２１ａ、固体撮像素子２１ｂを有しており、上記撮影レンズ２１ａを介して固体撮像素子２１ｂに被写体像を結像させる。上記固体撮像素子２１ｂは、Ｃ−ＭＯＳセンサ等で構成されており、撮像した画像を電気信号に変換するものである。また、上記固体撮像素子２１ｂは、被写体の測光及びホワイトバランス調整等の機能を内蔵しているものである。
尚、上記センサモジュール部２１は、本発明における上記操作ＳＷ１０の指示に応答して静止画像を撮像する撮像手段を構成している。
【００２９】
上記ＤＲＡＭ２２は、上記固体撮像素子２１ｂで電気信号に変換された画像信号を、一時的に記録するためのものであり、上記画像処理部２３は、上記ＤＲＡＭ２２に一時的に記録された画像信号を、例えばＪＰＥＧ等の所定のフォーマットによって圧縮して画像ファイルを作成し、上記記録媒体１２に出力するものである。
【００３０】
次に、本実施形態の撮影機能付きＩＣレコーダの動作を図２を参照しながら説明すると、図２は、上記一実施の形態を示す撮影機能付きＩＣレコーダの録音および撮影動作の処理の概略を示したフローチャートである。
【００３１】
このフローに示すように、先ず、ステップＳ１で上記操作ＳＷ１０の録音釦（ＲＥＣ）が使用者によって押動操作されると、ステップＳ２で上記ＣＰＵ５の制御により、上記マクロフォン１の電源がオンされ、上記ＣＰＵ５による音声の符号化処理及び音声ファイルの作成が開始される録音開始処理が行われ、ステップＳ３に移行する。
【００３２】
ステップＳ３では、上記ＩＣレコーダ３０の図示しないバッテリの電圧チェックを行い、規定電圧であるか否かを判定する。低電圧であれば、ステップＳ３０にジャンプして、録音機能の停止処理を行いリターンする。
【００３３】
規定電圧であれば、ステップＳ４に移行し、録音中に上記操作ＳＷ１０に、使用者による操作があったか否かを判定する。詳しくは、再生釦（ＰＬＡＹ），停止釦（ＳＴＯＰ），レリーズ釦にキー変化があったか否かを判定する。
【００３４】
ステップＳ４でキー変化がなければ、ステップＳ２３に分岐して、音声録音処理は続行され、ステップＳ２３で、上記ＣＰＵ５の図示しないバッファメモリに待避データがあるか否かを判定し、待避データがなければ、ステップＳ２７に分岐して、ステップＳ２７で上記ＣＰＵ５の前記バッファメモリに音声蓄積データがあるか否かを判定し、音声蓄積データがあれば、ステップＳ２８に移行して、上記記録媒体１２に音声データの書き込みを行い、ステップＳ３に戻る。よって、通常の録音処理であれば、上記処理を繰り返す。
【００３５】
ステップＳ４に戻って、再生釦（ＰＬＡＹ），停止釦（ＳＴＯＰ），レリーズ釦にキー変化があれば、ステップＳ５に移行し、ステップＳ５では、そのキー変化がレリーズ釦の操作であるか否かを判定する。レリーズ釦の操作でなければ、即ち、再生釦（ＰＬＡＹ），停止釦（ＳＴＯＰ）の操作であれば、ステップＳ３０にジャンプして、相当の処理を行いリターンする。レリーズ釦の操作であれば、ステップＳ６に移行する。
【００３６】
ステップＳ６では、上記記録媒体１２の容量チェックを行い、撮影可能であるか否かを判定する。上記記録媒体１２に、撮影した画像を記録する容量がなければ、ステップＳ２３に分岐し、上記記録媒体１２の容量が十分であれば、ステップＳ７に移行する。
【００３７】
ステップＳ７では、上記レリーズ釦の１ｓｔレリーズＳＷに変化があったか否かを判定する。１ｓｔレリーズＳＷに変化がなければ、ステップＳ９に分岐し、変化があれば、ステップＳ８に移行して、上記撮影処理部２０への電源供給等の撮影準備開始、または、１ｓｔレリーズＳＷを開放したときの停止処理を行い、ステップＳ９に移行する。
【００３８】
ステップＳ９では、２ｎｄレリーズＳＷがオンされたか否かを判定する。２ｎｄレリーズＳＷがオンされなければ、ステップＳ２３に分岐し、オンされれば、ステップＳ１０に移行する。
【００３９】
ステップＳ１０では、上記撮影処理部２０のセンサモジュール部２１により、撮像される被写体が低輝度であるか否か、ホワイトバランス調整が終了したか否かを上記ＣＰＵ５が判断し、撮影可能であるか否か判定する。撮影可能でなければ、ステップＳ１１に分岐して、上記ＩＣレコーダ３０のファインダ部近傍に設けられている図示しないＬＥＤを黄色に点滅させ、使用者に撮影が失敗したことを警告し、ステップＳ２３に移行する。尚、この警告には、上記表示装置１１を点滅させても良いし、使用者が識別できるようなものであれば、どのような手段を用いても良い。一方、撮影が可能であれば、ステップＳ１２に移行する。
【００４０】
ステップＳ１２では、音声ファイルを上記ＣＰＵ５によりクローズして、ステップＳ１３に移行し、ステップＳ１３では、上記画像処理部２３により、撮影された画像ファイルをオープンして、ステップＳ１４に移行する。
【００４１】
ステップＳ１４では、画像ファイル（データ）の書き込みが終了したか否かを判定する。終了していなければ、ステップＳ１５に移行して、上記記録媒体１２に画像データの書き込みを行い、ステップＳ１６に移行する。
【００４２】
ステップＳ１６では、画像データの書き込みが行われている間に、録音処理が行われているか、即ち音声データが蓄積されているか否かを判定する。音声データが蓄積されていなければ、ステップＳ１４に戻り、音声データが蓄積されていれば、ステップＳ１７に移行して、上記ＣＰＵ５の図示しないバッファメモリにこの間の音声データを待避させ、ステップＳ１４に戻る。
【００４３】
ステップＳ１４に戻って、画像データの上記記録媒体１２への書き込みが終了していれば、ステップＳ１８に分岐して、上記画像処理部２３で画像ファイルをクローズして、ステップＳ１９に移行し、ステップＳ１９で、音声入力を一時的に、例えば、３０ｍｓｅｃ〜８０ｍｓｅｃ、好ましくは４０ｍｓｅｃ〜６０ｍｓｅｃ、さらに好ましくは略５０ｍｓｅｃ停止する処理を行う。この処理は、マイクロフォン１の電源をオフするのではなく、上記ＣＰＵ５による音声データの符号化を停止するものである。尚、３０ｍｓｅｃ〜８０ｍｓｅｃの停止時間は、上記記録媒体１２に記録される音声データに影響を及ぼさない範囲であり、音声入力停止後、ステップＳ２０に移行する。
【００４４】
ステップＳ２０では、撮影が終了したことを、使用者に告知する例えば、ビープ音等の告知音が上記ＣＰＵ５の例えばＰＷＭの出力により、例えば３０ｍｓｅｃ〜８０ｍｓｅｃ間出力され、ステップＳ２１に移行する。尚、この告知音は、上述した音声データに影響を及ぼさない範囲（３０ｍｓｅｃ〜８０ｍｓｅｃ）であれば、ビープ音に限らず、例えば、長さ、音色、音程が異なる複数種類の告知音であっても構わないし、何回出力しても良い。
【００４５】
ステップＳ２１では、上記ＣＰＵ５による符号化が再開され、音声入力が再開されて、ステップＳ２２に移行し、ステップＳ２２では、上記ＣＰＵ５によって、符号化された音声ファイルがオープンされて、ステップ２３に移行する。
【００４６】
ステップＳ２３では、上記ＣＰＵ５の上記バッファメモリに待避データがあれば、即ち、上記ステップＳ１７で音声待避データ有りとされた場合には、ステップＳ２４に移行し、上記ステップＳ１７で画像データ書き込み中に待避した音声データの書き込みを行って、ステップＳ２５に移行し、ステップＳ２５では、上記ステップＳ２４での待避した音声データの書き込み中に、上記ＣＰＵ５の上記バッファメモリに音声データの蓄積があるか否かを判定する。音声データの蓄積がなければ、ステップＳ３に戻り、音声データの蓄積があれば、ステップＳ２６に移行して、上記ＣＰＵ５のバッファメモリに音声データの待避を行って、ステップＳ３に戻る。
【００４７】
尚、上記ステップＳ２４における一時待避データの書き込みは、所定の単位の複数倍であることで、待避データを最終的には、全て上記記録媒体１２に書き込むことができ、通常の音声記録状態に復帰することができる。このような書き込みを行えば、待避した音声データが無くなるまで、連続的に上記記録媒体１２に音声データの書き込みを行うことができる。
【００４８】
このように構成された本発明による記録装置である撮影機能付きＩＣレコーダにおいては、音声データを記録中に撮影を行った場合、上記ＣＰＵ５から撮影が終了したことを告知するビープ音等の告知音が発生される時間（例えば３０ｍｓｅｃ〜８０ｍｓｅｃ）のみ、上記音声データの上記記録媒体１２への記録を停止する機能を有しているので、上記記録媒体１２に上記告知音が記録されることがなく、また、上記停止時間は、音声データに影響を及ぼさない範囲であるため、再生時、使用者に対してもほとんど不快感を与えることがなく、さらに、上記記録媒体１２の無駄な消費を防止することができる。
【００４９】
また、上記画像データの記録中も、音声データは、上記ＣＰＵ５の上記バッファメモリに待避して記録されおり、この待避記録された音声データは、画像データの記録後、上記記録媒体１２に続けて記録されるため、画像データを記録する前後で記録される音声データが途切れることがない。
【００５０】
尚、本実施の形態においては、撮影が終了したことを告知するビープ音等の告知音を記録しないようにしたが、これに限らず、シャッタ音をＣＰＵが出力するものや、ピント合わせ完了音、撮影が失敗したときの警告音、手振れ発生等の警告音等、機器本体が発生する撮影動作に関する操作音、警告音であれば、どのようなものに適用しても良いことは云うまでもない。
【００５１】
また、上記音声データの上記記録媒体１２への記録を停止する時間は、例えば、３０ｍｓｅｃ〜８０ｍｓｅｃ、好ましくは４０ｍｓｅｃ〜６０ｍｓｅｃ、さらに好ましくは略５０ｍｓｅｃとしたが、これに限らず、音声データに影響を及ぼさない範囲であれば、どのように設定しても良いことは勿論である。
【００５２】
さらに、本実施の形態においては、記録装置には、撮影機能付きＩＣレコーダを例に挙げて示したが、これに限らず、例えばビデオカメラ等の他の撮影機能を有する機器に適用しても本実施の形態と同様の効果が得られることは云うまでもない。
【００５３】
【発明の効果】
以上、説明したように本発明によれば、音声記録中に画像撮影を行っても、記録装置本体から発生される撮影に関する告知音を記録することがなく、また、無駄なメモリの消費を防止し、記録する音声に影響のないようにした記録装置を提供することができる。
【図面の簡単な説明】
【図１】本発明の記録装置の一実施の形態である撮影機能付きＩＣレコーダの構成の概略を示したブロック図、
【図２】上記撮影機能付きＩＣレコーダの録音および撮影動作の処理の概略を示したフローチャート、
【図３】従来の記録装置における操作音または動作音の記録回避手段の一例を示したブロック図。
【符号の説明】
５…ＣＰＵ（告知手段）（音声記録中断手段）（音声データ符号化手段）（音声データ記録手段）（撮影指示手段）（制御手段）
１０…操作スイッチ（ＳＷ）（撮影指示手段）
１２…記録媒体（音声記録手段）（静止画像記録手段）
２０…撮影処理部（撮影手段）
２１…センサモジュール部（撮像手段）
２３…画像処理部
【図１】
2004222067.tif 000003
【図２】
2004222067.tif 000004
【図３】
2004222067.tif 000005